(57)【要約】      （修正有）【課題】大きな駆動力を必要とせずに除雪幅を広くできる廉価な除雪用アタッチメントを提供する。【解決手段】除雪用アタッチメント３は、農業用トラクター２に取付け可能な機体１１と、機体によって回転自在に支持されたスクリューコンベア１２と、前側が集雪用開口部となっているコンベアカバー１３と、コンベアカバーの両端を覆うカバー端板１７、１８に形成した雪排出口１８ａと、農業用トラクターの側からスクリューコンベアに回転駆動軸７の回転力を伝達する動力伝達機構３０とを有している。スクリューコンベアによって雪が減容圧縮されながら搬送されて、雪排出口から排出される。【選択図】図１
0003192978.tif 000002
【実用新案登録請求の範囲】
【請求項１】
走行車両に牽引されて除雪動作を行う除雪用アタッチメントであって、
前記走行車両の側のアタッチメント取付け部に着脱可能に取り付けられる機体と、
前記機体によって回転自在に支持され、牽引方向とは異なる方向に延びるスクリューコンベアと、
前記機体に取り付けられ、前記スクリューコンベアにおける前記牽引方向とは反対側の背面側の部分を覆い、前記牽引方向の前面側の部分が集雪用開口部となっているコンベアカバーと、
前記コンベアカバーにおける前記スクリューコンベアの中心軸線の方向の両端を覆っているカバー端板に形成した雪排出口と、
前記機体に搭載され、前記走行車両の側の回転駆動軸に着脱可能に連結されて、前記スクリューコンベアに回転力を伝達する動力伝達機構と、
を有していることを特徴とする除雪用アタッチメント。
【請求項２】
前記コンベアカバーは、前記スクリューコンベアの背面側の部分を覆っている円弧状背板と、この円弧状背板の上端縁から前記牽引方向および上方に向けて斜めに延びる上雪掻き込み板と、前記円弧状背板の下端縁から前記牽引方向および下方に向けて斜めに延びる下雪掻き込み板とを備え、
前記上雪掻き込み板および前記下雪掻き込み板の間に前記集雪用開口部が形成されている請求項１に記載の除雪用アタッチメント。
【請求項３】
前記下雪掻き込み板および前記円弧状背板の下側には、前記牽引方向に延びる地面摺動板が取り付けられている請求項２に記載の除雪用アタッチメント。
【考案の詳細な説明】
【技術分野】
【０００１】
本考案は、農業用トラクター等に取り付けて使用可能な除雪用アタッチメントに関する。
【背景技術】
【０００２】
除雪機としては、螺旋状の回転刃を用いて地面に積もった雪を砕きながら掻き取って集めるオーガと呼ばれる回転式のものが一般的に用いられている。オーガによって集められた雪は、回転翼を備えたブロアによってシュートを通して所定の方向に勢いよく飛ばして排出される。このような除雪用のオーガは特許文献１に開示されている。
【先行技術文献】
【特許文献】
【０００３】
【特許文献１】特開２００５−２２６３７０号公報
【考案の概要】
【考案が解決しようとする課題】
【０００４】
オーガを用いた除雪機は、除雪幅が狭く、大きな駆動トルクを必要とし、高価である。また、オーガによって掻き集めた雪をブロアによって一方向に吹き飛ばして排出しているので、除雪場所の周囲に雪を排出するための広いスペースが無い場合等には雪の処分に困ることがある。
【０００５】
本考案の課題は、このような点に鑑みて、大きな駆動力を必要とせずに除雪幅を広くできる廉価な除雪用アタッチメントを提供することにある。
【課題を解決するための手段】
【０００６】
上記の課題を解決するために、本考案は、走行車両に牽引されて除雪動作を行う除雪用アタッチメントであって、
前記走行車両の側のアタッチメント取付け部に着脱可能な機体と、
前記機体によって回転自在に支持され、牽引方向とは異なる方向に延びるスクリューコンベアと、
前記機体に取り付けられ、前記スクリューコンベアにおける前記牽引方向とは反対側の背面側の部分を覆い、前記牽引方向の前面側の部分が集雪用開口部となっているコンベアカバーと、
前記コンベアカバーにおける前記スクリューコンベアの中心軸線の方向の両端を覆っているカバー端板に形成した雪排出口と、
前記機体に搭載され、前記走行車両の側の回転軸に着脱可能に連結されて、前記スクリューコンベアに回転力を伝達する動力伝達機構と、
を有していることを特徴としている。
【０００７】
本考案の除雪用アタッチメントは、例えば、一般的な土を耕す等の農作業を行う農耕用アタッチメントの代わりに、農業用トラクターに取り付けて用いることができる。農業用トラクターに取付け、除雪場所において、農業用トラクターによって除雪用アタッチメントを牽引する。除雪用アタッチメントのスクリューコンベアが農業用トラクターの側から伝達される回転力によって回転する。
【０００８】
牽引によって、コンベアカバーの集雪用開口部から積もっている雪がスクリューコンベアに掻き込まれる。回転しているスクリューコンベアによって、その中心軸線の方向に、
掻き込まれた雪が搬送される。コンベアカバー端板には雪排出口が形成されているので、ここを通ってスクリューコンベアによって搬送される雪が排出される。例えば、道路の除雪作業では、除雪した道路部分の側方に雪を排出しながら除雪作業を行うことができる。
【０００９】
スクリューコンベアは掻き込まれた雪を横方向に搬送し、搬送途中において掻き込まれた雪が加わるので、減容圧縮されながら搬送される。除雪用オーガに比べて必要とされる駆動力が小さくて済み、その軸長、すなわち、除雪幅も広くすることが容易である。よって、除雪用オーガを用いる場合に比べて、廉価な除雪機を実現できる。また、排出される雪は減容圧縮された状態になるので、ブロワによって遠くに雪を吹き飛ばす場合に比べて、雪の排出場所が少なくて済み、排出後の雪の処理も容易である。
【００１０】
ここで、前記コンベアカバーは、前記スクリューコンベアの背面側の部分を覆っている円弧状背板と、この円弧状背板の上端縁から前記牽引方向および上方に向けて斜めに延びる上雪掻き込み板と、前記円弧状背板の下端縁から前記牽引方向および下方に向けて斜めに延びる下雪掻き込み板とを備えた構成とすることができる。この場合には、上雪掻き込み板と下雪掻き込み板の間に、集雪用開口部が形成される。
【００１１】
また、前記下雪掻き込み板および前記円弧状背板の下側には、前記牽引方向に延びる地面摺動板が取り付けられていることが望ましい。
【図面の簡単な説明】
【００１２】
【図１】（ａ）は本考案を適用した除雪用トラクターのアタッチメントを示す概略平面図であり、（ｂ）はその概略側面図である。
【図２】（ａ）は図１の除雪用アタッチメントの概略横断面図であり、（ｂ）は除雪用アタッチメントの概略正面図である。
【考案を実施するための形態】
【００１３】
以下に、図面を参照して、本考案を適用した除雪用アタッチメントの実施の形態を説明する。
【００１４】
図１を参照して説明すると、本考案を適用した除雪用アタッチメントを備えた除雪用トラクター１は、一般的な農業用トラクター２と、この農業用トラクター２によって牽引される状態で当該トラクター２に取り付けた除雪用アタッチメント３とを備えている。農業用トラクター２は、公知のように、農耕用アタッチメントを取り付け可能なアタッチメント取付け部として、その後端部の中央および左右の部位から後方に突出している３本の連結用リンク４、５、６を備えている。また、その後端部の中央における連結用リンク４の下側には、後方に突出しているアタッチメント駆動用の回転駆動軸７が配置されている。
【００１５】
除雪用アタッチメント３は、農業用トラクター２のアタッチメント取付け部である連結用リンク４、５、６に取付け可能な機体１１と、この機体１１によって回転自在の状態で支持されているスクリューコンベア１２と、スクリューコンベア１２の背面側の部位を覆っているコンベアカバー１３と、農業用トラクター２の回転駆動軸７からの回転をスクリューコンベア１２に伝達する動力伝達機構３０とを備えている。
【００１６】
機体１１は、農業用トラクター２による牽引方向Ａに直交する方向である幅方向に水平に延びる円筒１４と、この円筒１４の一方の端に直交する状態に取り付けたチェーンケース１５と、円筒１４の他方の端に直交する状態に取り付けた軸受けケース１６とを備えている。チェーンケース１５と軸受けケース１６は同一形状のケースである。チェーンケース１５と軸受けケース１６の間には、幅方向に水平に延びる状態でコンベアカバー１３が架け渡されている。コンベアカバー１３のカバー端板１８には、図１（ｂ）に示すように
扇形の雪排出口１８ａが形成されている。他方のカバー端板１７にも同様に、図には示していないが、同一形状の雪排出口が形成されている。
【００１７】
機体１１の円筒１４には、その長さ方向の中央および左右の位置に、円筒１４から直交する方向に延びる連結板２１、２２および２３が固定されている。これらの連結板２１〜２３を農業用トラクター２の側の連結用リンク４、５、６に連結することで、除雪用アタッチメント３が農業用トラクター２の後側に取り付けられた状態になる。
【００１８】
中央の連結板２１は、所定の角度でＶ状に延びる２枚の連結板２１ａ、２１ｂを備えている。本例では、図１（ｂ）に示すように、前側の連結板２１ａが連結用リンク４に固定されている。この状態では、除雪用アタッチメント３が地面に接することのできる除雪位置の状態になる。農業用トラクター２と除雪用アタッチメント３の間を連結している不図示の油圧シリンダーを伸縮させることにより、除雪用アタッチメント３は、他の２か所の連結用リンク５、６の取付け中心軸２４を中心として上方に旋回して地面から浮き上がった待機位置の状態になる。あるいは、他方の連結板２１ｂに連結用リンク４を固定することで待機位置の状態にできる。
【００１９】
スクリューコンベア１２は、コンベア軸１２ａと、このコンベア軸１２ａの外周に沿って螺旋状に延びるスクリュー刃１２ｂとを備えている。コンベア軸１２ａの両端部は、チェーンケース１５および軸受けケース１６の上端側の部位に回転自在の状態で支持されている。
【００２０】
動力伝達機構３０は、円筒１４の軸線方向の中央に取り付けたギヤボックス３１を備え、このギヤボックス３１に農業用トラクター２の側の回転駆動軸７を、ユニバーサルジョイント等を介して連結可能である。円筒１４の内部には、ギヤボックス３１からチェーンケース１５の側に延びる伝達軸３２が同軸に配置されている。回転駆動軸７の回転はギヤボックス３１を介して直交方向に延びる伝達軸３２に伝達される。伝達軸３２の先端軸部には不図示のスプロケットが同軸に固定され、スプロケットには、チェーンケース１５内に配置した不図示のチェーンが架け渡されている。チェーンの他方の側は、スクリューコンベア１２のコンベア軸１２ａの軸端に同軸に固定したスプロケットに掛け渡されている。これにより、回転駆動軸７の回転が、スクリューコンベア１２に伝達される。
【００２１】
次に、図２（ａ）は除雪用アタッチメント３の概略横断面図であり、図２（ｂ）はその概略正面図である。これらの図を参照して、除雪用アタッチメント３の内部構成を更に詳しく説明する。
【００２２】
スクリューコンベア１２のコンベアカバー１３は、スクリューコンベア１２の背面側の部分を覆い、前方（牽引方向の前面側の部分）が幅方向に延びる集雪用開口部４１となっている。すなわち、コンベアカバー１３は、スクリューコンベア１２の背面側の部分を覆っている円弧状背板４２と、この円弧状背板４２の上端縁から前方（牽引方向）および上方に向かう方向に斜めに延びる上雪掻き込み板４３と、円弧状背板４２の下端縁から前方（牽引方向）および下方に向かう方向に斜めに延びる下雪掻き込み板４４とを備えている。
【００２３】
上雪掻き込み板４３と下雪掻き込み板４４の間に、集雪用開口部４１が規定されている。また、上雪掻き込み板４３と下雪掻き込み板４４の間には、幅方向に一定の間隔で上下方向に架け渡された補強フラットバー４５が取り付けられている。
【００２４】
また、下雪掻き込み板４４および円弧状背板４２の下側には、前後方向（牽引方向）に延びる地面摺動板４６が補強フラットバー４５と同一の間隔で取り付けられている。地面
摺動板４６は、除雪用アタッチメント３を図に示す除雪位置の状態で農業用トラクター２に取り付けると、水平姿勢となり、地面Ｇに沿って摺動可能な状態になる。各地面摺動板４６の後端と円弧状背板４２との間にも、補強フラットバー４７が取り付けられている。
【００２５】
この構成の除雪用トラクター１を用いて道路等の除雪作業を行うことができる。除雪対象の道路に沿って除雪用トラクター１を走行させ、道路に沿って除雪用アタッチメント３を牽引する。除雪用アタッチメント３は牽引されながらスクリューコンベア１２が回転する。集雪用開口部４１からコンベアカバー１３内に掻き込まれた雪は、スクリューコンベア１２によって減容圧縮されながらその中心軸線の方向に搬送される。コンベアカバー１３のカバー端板１７、１８には、それぞれ、雪排出口が形成されているので、ここを介して、減容圧縮された雪が排出される。
【００２６】
スクリューコンベア１２の回転方向を切り替えることによって、雪を幅方向の何れの側に排出するのかを決めることができる。したがって、道路の右側に排出する場合と、左側に排出する場合とでは、単に、スクリューコンベア１２の回転方向を切り替えるだけでよい。
【００２７】
このように、本例の除雪用アタッチメント３は、農業用トラクター２に取り付けて使用できるので、利便性が高い。また、スクリュー駆動による雪の移送のための移送トルクが少なくて済み、広い除雪幅で除雪作業を行うことも可能である。さらに、スクリュー搬送によるスクリュー圧によって雪が減容圧縮されて排出されるので、排出場所の確保なども容易である。
【符号の説明】
【００２８】
１  除雪用トラクター、２  農業用トラクター、３  除雪用アタッチメント、
４，５，６  連結用リンク、７  回転駆動軸、１１  機体、１２  スクリューコンベア、
１２ａ  コンベア軸、１２ｂ  スクリュー刃、１３  コンベアカバー、１４  円筒、
１５  チェーンケース、１６  軸受けケース、１７，１８  カバー端板、
１８ａ  雪排出口、２１，２２，２３  連結板、２１ａ，２２ａ  連結板、
２４  取付け中心軸、３０  動力伝達機構、３１  ギヤボックス、３２  伝達軸、
４１  集雪用開口部、４２  円弧状背板、
４３  上雪掻き込み板、４４  下雪掻き込み板、４５  補強フラットバー、
４６  地面摺動板、４７  補強フラットバー、Ａ    牽引方向
【図１】
0003192978.tif 000003
【図２】
0003192978.tif 000004